(57)【要約】【課題】音声信号の特徴に合わせて、周波数が低い帯域ほどハーモニクス構造が強く、周波数が高い帯域ではハーモニクス構造が弱くなる特性を有する長期ポストフィルタを構成し、復号音声信号の主観品質の改善を図ること。【解決手段】フィルタ係数制御部３０２は、ピッチ周期に基づいてピッチゲイン係数を算出し、このピッチゲイン係数に基づいて３タップＡＲ型ピッチフィルタ３０３及び１次ＭＡ型スペクトル傾斜補正フィルタ３０４のフィルタ係数を算出する。３タップＡＲ型ピッチフィルタ３０３は、ピッチ周期の前後で対象なフィルタ係数から構成され、復号音声信号のピッチハーモニクスを強調する。１次ＭＡ型スペクトル傾斜補正フィルタ３０４は、３タップＡＲ型ピッチフィルタ３０３でピッチフィルタ処理された復号音声信号に対してスペクトル包絡特性を平坦化する補正を行う。【選択図】      図３
2004302257.tif 000002
【特許請求の範囲】
【請求項１】
ピッチ周期の前後で対象なフィルタ係数から構成されるマルチタップピッチフィルタと、前記マルチタップピッチフィルタのスペクトル傾斜を補正する傾斜補正フィルタと、これらのフィルタのフィルタ係数を制御する係数制御手段と、を具備することを特徴とする長期ポストフィルタ。
【請求項２】
前記係数制御手段は、ピッチ周期に基づいてピッチゲイン係数を算出し、このピッチゲイン係数に基づいて前記マルチタップピッチフィルタのフィルタ係数及び前記傾斜補正フィルタのフィルタ係数を制御することを特徴とする請求項１記載の長期ポストフィルタ。
【請求項３】
前記傾斜補正フィルタは１次のＭＡフィルタであり、前記係数制御手段は、前記１次のＭＡフィルタのフィルタ係数を前記ピッチゲイン係数の２次式により算出することを特徴とする請求項２記載の長期ポストフィルタ。
【請求項４】
請求項１から請求項３のいずれかに記載の長期ポストフィルタを後処理として備えることを特徴とする音声復号化装置。
【請求項５】
請求項４記載の音声復号化装置を具備する音声信号受信装置。
【請求項６】
請求項４記載の音声復号化装置を具備する通信端末装置。
【請求項７】
請求項４記載の音声復号化装置を具備する基地局装置。
【発明の詳細な説明】
【０００１】
【発明の属する技術分野】
本発明は、復号された音声信号の主観品質を高めるための長期ポストフィルタ（ピッチポストフィルタ）に関する。
【０００２】
【従来の技術】
ＣＥＬＰ（符号励振線形予測）に代表される高能率音声符号化方式においては、低周波帯域のピッチハーモニクスの谷に存在する符号化歪（量子化雑音）を聞こえ難くするように、人間の聴覚特性を利用した後処理（ポストフィルタ）を復号音声信号に対して行うことが一般的である。
【０００３】
図７は、従来のポストフィルタの構成の一例を示す図である。図７に示すように、従来のポストフィルタ１０は、長期ポストフィルタ（ピッチポストフィルタとも呼ばれる）１１と短期ポストフィルタ（ホルマントポストフィルタとも呼ばれる）１２とから主に構成される（例えば、特許文献１、非特許文献１）。
【０００４】
長期ポストフィルタ１１は、入力した復号音声信号のピッチハーモニクスを強調する。この従来の長期ポストフィルタ１１は、単純なくし型フィルタであり、ピッチハーモニクス構造が周波数全体に渡って一様である。例えば、非特許文献１に開示されているピッチポストフィルタの伝達関数Ｈ（ｚ）は、以下の式（１）により表される。なお、式（１）において、ｐはピッチ周期、Ｇ、γ、λはそれぞれフィルタ係数である。
【０００５】
【数１】
2004302257.tif 000003
【０００６】
短期ポストフィルタ１２は、長期ポストフィルタ１１から出力された復号音声信号のホルマント構造を強調する。この短期ポストフィルタ１２の出力が復号器の出力音声信号となる。なお、短期ポストフィルタ１２の出力は、ポストフィルタ１０の入力信号（復号音声信号）と同じパワを持つように利得制御される。
【０００７】
ここで、音声信号のハーモニクス構造は必ずしも全周波数帯に一様ではなく、一般に低域ほどピッチハーモニクスの谷が深く、高域はピッチハーモニクス構造が崩れ易い傾向がある。
【０００８】
【特許文献１】
欧州特許出願公開第０５０３６８４Ａ２号明細書
【非特許文献１】
Ｊ−Ｈ．  Ｃｈｅｎ  ａｎｄ  Ａｌｌｅｎ  Ｇｅｒｓｈｏ，  ”Ａｄａｐｔｉｖｅ  Ｐｏｓｔｆｉｌｔｅｒｉｎｇ  ｆｏｒ  Ｑｕａｌｉｔｙ  Ｅｎｈａｎｃｅｍｅｎｔ  ｏｆ  Ｃｏｄｅｄ  Ｓｐｅｅｃｈ”，  ＩＥＥＥ  ＴＲＡＮＳＡＣＴＩＯＮＳ  ＯＮ  ＳＰＥＥＣＨ  ＡＮＤ  ＡＵＤＩＯ  ＰＲＯＣＥＳＳＩＮＧ，  ＶＯＬ．３，  ＮＯ．１，  ＪＡＮＵＡＲＹ  １９９５，  ｐｐ．５９−７１．
【０００９】
【発明が解決しようとする課題】
しかしながら、上記のように従来の長期ポストフィルタは、ピッチハーモニクス構造が周波数全体に渡って一様であり音声信号のハーモニクス構造と一致しないため、低域のピッチハーモニクス構造を強調すると、高域のピッチハーモニクス構造を強調しすぎてしまい、復号音声が聴覚的に不自然なものになってしまうという問題がある。
【００１０】
本発明はかかる点に鑑みてなされたものであり、音声信号の特徴に合わせて、周波数が低い帯域ほどハーモニクス構造が強く、周波数が高い帯域ではハーモニクス構造が弱くなる特性を有し、復号音声信号の主観品質の改善を図ることができる長期ポストフィルタを提供することを目的とする。
【００１１】
【課題を解決するための手段】
本発明の長期ポストフィルタは、ピッチ周期の前後で対象なフィルタ係数から構成されるマルチタップピッチフィルタと、前記マルチタップピッチフィルタのスペクトル傾斜を補正する傾斜補正フィルタと、これらのフィルタのフィルタ係数を制御する係数制御手段と、を具備する構成を採る。
【００１２】
本発明の長期ポストフィルタにおける前記係数制御手段は、ピッチ周期に基づいてピッチゲイン係数を算出し、このピッチゲイン係数に基づいて前記マルチタップピッチフィルタのフィルタ係数及び前記傾斜補正フィルタのフィルタ係数を制御する構成をとる。
【００１３】
これらの構成により、周波数が低い帯域ほどハーモニクス構造が強く、周波数が高い帯域ではハーモニクス構造が弱くなる特性を有するピッチポストフィルタを提供することができ、低周波帯域のピッチハーモニクスの谷に存在する量子化雑音を聞こえ難くし、高周波帯域のピッチハーモニクスを強調しすぎることなく自然なピッチハーモニクスの強調を行うことができる。
【００１４】
本発明の長期ポストフィルタにおける前記傾斜補正フィルタは１次のＭＡフィルタであり、前記係数制御手段は、前記１次のＭＡフィルタのフィルタ係数を前記ピッチゲイン係数の２次式により算出する構成をとる。
【００１５】
この構成により、簡単なフィルタ構成、簡単な関数制御で、ピッチゲイン係数が取り得る値の範囲内においてはほぼスペクトル包絡特性を平坦化することが可能となる。
【００１６】
本発明の音声復号化装置は、上記いずれかの長期ポストフィルタを後処理として備える構成をとる。また、本発明の音声信号受信装置は、この音声復号化装置を具備する構成をとる。また、本発明の通信端末装置は、この音声復号化装置を具備する構成をとる。また、本発明の基地局装置は、この音声復号化装置を具備する構成をとる。
【００１７】
これらの構成により、低周波帯域のピッチハーモニクスの谷に存在する量子化雑音を聞こえ難くし、高周波帯域のピッチハーモニクスを強調しすぎることなく自然なピッチハーモニクスの強調を行うことができ、復号音声信号の主観品質の改善を図ることができる。
【００１８】
【発明の実施の形態】
本発明の骨子は、長期ポストフィルタを、ピッチ周期の前後で対象なフィルタ係数から構成されるマルチタップピッチフィルタと、このピッチフィルタのスペクトル包絡特性を平坦化する傾斜補正フィルタとにより構成することで、低周波帯域のピッチハーモニクスの谷に存在する量子化雑音を聞こえ難くし、高周波帯域のピッチハーモニクスを強調しすぎることなく自然なピッチハーモニクスの強調を行うことである。
【００１９】
以下、本発明の実施の形態について、添付図面を参照して詳細に説明する。
【００２０】
（実施の形態）
図１は、本発明の一実施の形態に係る音声信号伝送システムの構成を示すブロック図である。音声信号伝送システムは、音声信号送信装置１００及び音声信号受信装置１５０を具備している。
【００２１】
音声信号送信装置１００は、入力装置１０１、Ａ／Ｄ変換装置１０２、音声符号化装置１０３、信号処理装置１０４、ＲＦ変調装置１０５、送信装置１０６及びアンテナ１０７から主に構成されている。
【００２２】
入力装置１０１は、受信した音声信号を電気信号であるアナログ音声信号に変換し、これをＡ／Ｄ変換装置１０２に出力する。Ａ／Ｄ変換装置１０２は、入力装置１０１から出力されたアナログの音声信号をディジタル音声信号に変換し、これを音声符号化装置１０３に出力する。音声符号化装置１０３は、Ａ／Ｄ変換装置１０２から出力されたディジタル音声信号を符号化して音声符号化ビット列を生成し信号処理装置１０４に出力する。信号処理装置１０４は、音声符号化装置１０３から出力された音声符号化ビット列にチャネル符号化処理やパケット化処理及び送信バッファ処理等を行った後、その音声符号化ビット列をＲＦ変調装置１０５に出力する。ＲＦ変調装置１０５は、信号処理装置１０４から出力された音声符号化ビット列の信号を変調して送信装置１０６に出力する。送信装置１０６は、ＲＦ変調装置１０５から出力された音声符号化信号を、アンテナ１０７を介して電波（ＲＦ信号）として送出する。
【００２３】
音声信号送信装置１００においては、Ａ／Ｄ変換装置１０２を介して得られるディジタル音声信号に対して数十ｍｓのフレーム単位で処理が行われる。システムを構成するネットワークがパケット網である場合には、１フレーム又は数フレームの符号化データを１つのパケットに入れ、このパケットをパケット網に送出する。なお、前記ネットワークが回線交換網の場合には、パケット化処理や送信バッファ処理は不要である。
【００２４】
音声信号受信装置１５０は、アンテナ１５１、受信装置１５２、ＲＦ復調装置１５３、信号処理装置１５４、音声復号化装置１５５、Ｄ／Ａ変換装置１５６及び出力装置１５７を有している。
【００２５】
受信装置１５２は、アンテナ１５１を介して音声符号化情報を含んでいる電波（ＲＦ信号）を受けてアナログの電気信号である受信音声符号化信号を生成し、これをＲＦ復調装置１５３に出力する。アンテナ１５１を介して受けた電波（ＲＦ信号）は、伝送路において信号の減衰や雑音の重畳がなければ、音声信号送信装置１００において送出された電波（ＲＦ信号）と全く同じものになる。
【００２６】
ＲＦ復調装置１５３は、受信装置１５２から出力された受信音声符号化信号を復調し、これを信号処理装置１５４に出力する。信号処理装置１５４は、ＲＦ復調装置１５３からの受信音声符号化信号のジッタ吸収バッファリング処理、パケット組みたて処理およびチャネル復号化処理等を行い、受信音声符号化ビット列を音声復号化装置１５５に出力する。音声復号化装置１５５は、信号処理装置１５４から出力された受信音声符号化ビット列に対して復号化処理を行い、復号音声信号を生成しＤ／Ａ変換装置１５６に出力する。Ｄ／Ａ変換装置１５６は、音声復号化装置１５５から出力されたディジタル復号音声信号をアナログ復号音声信号に変換し、これを出力装置１５７に出力する。出力装置１５７は、Ｄ／Ａ変換装置１５６から出力されたアナログ復号音声信号を空気の振動に変換し音波として人間の耳に聞こえる様に出力する。
【００２７】
復号音声信号の主観的品質を改善する本発明の特徴は、音声信号受信装置１５０に搭載されている音声復号化装置１５５の中に備えられている。
【００２８】
以下、音声復号化装置１５５の内部構成について、図２のブロック図を用いて詳細に説明する。
【００２９】
図２に示すように、音声復号化装置１５５は、音声復号部２０１、長期ポストフィルタ２０２及び短期ポストフィルタ２０３から主に構成される。長期ポストフィルタ２０２の２つの入力端子は、音声復号部２０１の３つの出力端子のうちの２つにそれぞれ接続されている。短期ポストフィルタ２０３の２つの入力端子は、一方が長期ポストフィルタの出力端子に、他方が音声復号部の３つの出力端子の一つに、それぞれ接続されている。
【００３０】
音声復号部２０１は、入力した音声符号化ビット列から音声信号を復号し、復号音声信号及び復号ピッチ情報を長期ポストフィルタ２０２に出力し、復号線形予測係数を短期ポストフィルタ２０３に出力する。なお、本実施の形態では音声信号の符号化モデルを特定しないが、符号化モデルは、短期予測（線形予測）および長期予測（ピッチ予測）を用いたものであり、典型的な例としてはＣＥＬＰ符号化を挙げることができる。音声復号部２０１がこのような符号化モデルに基づいて音声信号の復号処理を行うので、長期予測パラメータ（ピッチパラメータ）および短期予測パラメータ（線形予測係数）は一連の処理の中で復号される。
【００３１】
長期ポストフィルタ２０２は、復号音声信号のピッチハーモニクスを強調するフィルタであり、復号音声信号のピッチ周期に基づくくし型フィルタによって構成される。復号音声信号のピッチ周期は、復号ピッチ周期の近傍を再探索することによって求められる。なお、復号ピッチの情報を用いずにピッチ探索を行っても良いが、その場合は復号ピッチを音声復号部２０１から入力する必要がない代わりに探索のための演算量が大きくなる。本発明の特徴は、長期ポストフィルタ２０２にあり、その詳細な説明は後述する。
【００３２】
短期ポストフィルタ２０３は、復号音声信号のホルマント構造を強調するフィルタであり、復号線形予測係数に重みを掛けたフィルタ係数を用いて構成される極零型フィルタである。なお、復号線形予測係数を用いずに、復号音声信号を再分析して求められる線形予測係数を用いても良いが、その場合、再分析のための演算量と遅延の増加が必要となる。
【００３３】
なお、本発明において、長期ポストフィルタ２０２と短期ポストフィルタ２０３の処理順序は一意ではなく、例えば、（１）短期ポストフィルタの零部（ＬＰＣ逆フィルタ）、（２）ピッチポストフィルタ、（３）短期ポストフィルタの極部（ＬＰＣ合成フィルタ）というような順序で処理を行っても良い。
【００３４】
次に、本発明の特徴部分である長期ポストフィルタ２０２の構成について図３のブロック図を参照して更に詳細に説明する。
【００３５】
図３に示すように、長期ポストフィルタ２０２は、ピッチ探索部３０１、フィルタ係数制御部３０２、マルチタップピッチフィルタの一例である３タップＡＲ型ピッチフィルタ３０３及び傾斜補正フィルタの一例である１次ＭＡ型スペクトル傾斜補正フィルタ３０４とから主に構成される。
【００３６】
ピッチ探索部３０１は、図２の音声復号部２０１から出力された復号ピッチ情報と復号音声信号を入力し、入力した復号ピッチ情報を用いて復号音声信号のピッチ周期（またはピッチラグ）ｐを決定し、これをフィルタ係数制御部３０２及び３タップＡＲ型ピッチフィルタ３０３に出力する。なお、上述のように、ピッチ探索部３０１は、復号ピッチ情報を用いずに復号音声信号のピッチ周期（またはピッチラグ）ｐを決定することもできる。
【００３７】
フィルタ係数制御部３０２は、ゲイン算出部３２１及び係数算出部３２２とから主に構成されている。ゲイン算出部３２１は、ピッチ周期ｐを用いてピッチゲイン係数（利得係数）ｇを算出し、これを係数算出部３２２に出力する。係数算出部３２２は、ピッチゲイン係数ｇを用いて所定のフィルタ係数Ｇ’、α、β、σ、εを算出し、フィルタ係数Ｇ’、α、βを３タップＡＲ型ピッチフィルタ３０３に出力し、フィルタ係数σ、εを１次ＭＡ型スペクトル傾斜補正フィルタ３０４に出力する。
【００３８】
３タップＡＲ型ピッチフィルタ３０３は、復号音声信号のピッチハーモニクスを強調するフィルタであり、増幅器３３１、加算器３３２、遅延素子３３３、増幅器３３４、遅延素子３３５、増幅器３３６、遅延素子３３７及び増幅器３３８とから主に構成される。
【００３９】
増幅器３３１は、フィルタ係数Ｇ’を用いて、図２の音声復号部２０１から出力された復号音声信号を増幅する。加算器３３２は、増幅器３３１、増幅器３３４、増幅器３３６および増幅器３３８の出力を加算する。遅延素子３３３は、ピッチ周期ｐを遅延パラメータとして加算器３３２の出力を遅延させる。増幅器３３４は、フィルタ係数βを用いて遅延素子３３３の出力を増幅する。遅延素子３３５は、遅延素子３３３の出力を１サンプル時間遅延させる。増幅器３３６は、フィルタ係数αを用いて遅延素子３３５の出力を増幅する。遅延素子３３７は、遅延素子３３５の出力を１サンプル時間遅延させる。増幅器３３８は、フィルタ係数βを用いて遅延素子３３７の出力を増幅する。
【００４０】
１次ＭＡ型スペクトル傾斜補正フィルタ３０４は、３タップＡＲ型ピッチフィルタ３０３でピッチフィルタ処理された復号音声信号に対してスペクトル包絡特性を平坦化する補正を行うフィルタであり、遅延素子３４１、増幅器３４２、加算器３４３及び増幅器３４４から主に構成される。
【００４１】
遅延素子３４１は、加算器３３２の出力を１サンプル時間遅延させる。増幅器３４２は、フィルタ係数σを用いて遅延素子３４１の出力を増幅する。加算器３４３は、加算器３３２の出力から増幅器３４２の出力を減算する。増幅器３４４は、フィルタ係数εを用いて加算器３４３の出力を増幅する。
【００４２】
以下、上記構成の長期ポストフィルタ２０２の処理を、数式を用いて具体的に説明する。
【００４３】
まず、ピッチ探索部３０１が、復号ピッチ情報を用いて、式（２）の正規化自己相関関数Ｒ（ｔ）を最大化するサンプルタイミングｔをピッチ周期ｐ（単位：サンプル）として決定する。ただし、式（２）において、Ｎはピッチポストフィルタ処理を行う単位となっている（サブ）フレーム長、ｓ（ｎ）はピッチポストフィルタの入力信号である。
【数２】
2004302257.tif 000004
【００４４】
なお、ピッチ周期ｐは分数精度であっても良く、その場合は一般的に行われるようにＳｉｎｃ関数を用いた補間処理を用いる。また、ピッチ周期ｐは正規化自己相関関数を最大化することによって求めることができるが、この方法に限定するものではない。
【００４５】
次に、ゲイン算出部３２１が、式（３）によりピッチゲインｇＬを算出し、式（４）により重み付け後のピッチゲイン係数ｇを算出する。
【００４６】
【数３】
2004302257.tif 000005
【００４７】
ｇ    ＝０．６ｇＬ    ，０．４≦ｇＬ≦１．０  または  ｇＬ＝０            ・・・（４）
【００４８】
次に、係数算出部３２２が、ピッチゲイン係数ｇを用いて式（５）によりフィルタ係数Ｇ’、α、β、σ、εを算出する。
【００４９】
Ｇ’＝１−ｇ
α  ＝０．８ｇ
β  ＝０．１ｇ
σ  ＝０．４０ｇ２＋０．１３ｇ
ε  ＝１／（１−σ）                    ・・・（５）
次に、３タップＡＲ型ピッチフィルタ３０３が、ピッチ探索部３０１および係数算出部３２２で決定されたピッチ周期ｐ、フィルタ係数Ｇ’、α、βを用いて、復号音声信号に対してフィルタ処理を行う。
【００５０】
この３タップＡＲ型ピッチフィルタ３０３の伝達関数Ｈｐ（ｚ）は、以下の式（６）により表され、ピッチ周期ｐの前後１サンプルに対して対称な重み係数を用いたものとなっている。
【００５１】
【数４】
2004302257.tif 000006
【００５２】
ピッチ周期に対応するフィルタ係数αへの重みを大きくし、前後１サンプルに対応するフィルタ係数βへの重みを小さくかつ対称としているので、１タップのピッチ予測（一般のピッチ探索）で求めたピッチ周期をそのまま３タップピッチフィルタのピッチラグとして用いることができる。
【００５３】
式（６）のフィルタの周波数特性は、ハーモニクスのピークの位置（周波数）が従来のものと変わらず、周波数が高くなるほどピークの高さ（振幅）が低く、ピークの幅が広がる特性となる。
【００５４】
ここで、このような周波数特性は、異なる周期をもつ複数の櫛形関数を重ね合わせることによって表現される。しかしながら、異なる周期の多数の櫛形フィルタを重ね合わせるのは演算量が大規模になり現実的でないので、本発明では、探索されたピッチ周期の近傍数種類のピッチ周期に限定したピッチフィルタを重ね合わせる。最も簡単な例は、探索されたピッチ周期とその前後１サンプルのピッチ周期の合計３種類のピッチの櫛形フィルタを重ね合わせたものである。３種類のピッチを用いた３タップのピッチフィルタとするのが最も現実的である。このときのフィルタ係数は、ピッチ周期を中心として前後対称な値を有し、上記式（６）で表される。
【００５５】
式（６）において、β／αを適当な値に調整することでハーモニクスのピーク幅とピーク値の振幅を調整できる。例えば、β／αが大きくなるようにα、βを設定すれば、ピークの幅が広がるとともにピークの振幅の減衰が大きくなるようにすることができる。ただし、α＞０，β≧０，０＜β／α≦０．５，α＋２β≦１とする。しかし、制御が煩雑となるのでここでは経験的に得られた値に固定している（β／α＝０．１ｇ／０．８ｇ＝０．１２５）。
【００５６】
ピッチ周期を２０サンプル（８ｋＨｚサンプリング）、ｇ＝０．６０，０．４２，０．２４とした場合の３タップＡＲ型ピッチフィルタ３０３の周波数特性を図４に示す。図４から明らかなように、高域へ行くほどハーモニクスのピーク幅が広がり、ハーモニクスの山と谷の振幅差が小さくなる。また、ピッチゲイン係数ｇを大きくするに従い、正比例的に周波数特性が振幅方向に拡大される（ハーモニクスの谷がより深くなり、低域におけるハーモニクスの山と谷の振幅差と高域におけるハーモニクスの山と谷の振幅差との差が大きくなる）。ハーモニクスの山と谷の差がピッチ周期性の強調度合いに対応するので、ピッチゲイン係数ｇが大きいほど強いピッチ強調がなされる。一方、ピッチゲイン係数ｇは、信号のピッチ周期性を表すパラメータであり、一般的に長期ポストフィルタで行われるピッチ強調の強さを制御するために使用される。そこで本発明においてもピッチゲインｇＬを用いて３タップのピッチフィルタを制御している。
【００５７】
次に、１次ＭＡ型スペクトル傾斜補正フィルタ３０４が、ピッチフィルタ処理された復号音声信号に対して、係数算出部３２２で決定されたフィルタ係数σ，εを用いてスペクトル傾斜補正（スペクトル包絡特性を平坦化する補正）を行い、長期ポストフィルタ２０２の出力信号を生成する。
【００５８】
この１次ＭＡ型スペクトル傾斜補正フィルタ３０４の伝達関数Ｈｔ（ｚ）は以下の式（７）により表される。これは、最もシンプルで一般的なスペクトル傾斜補正フィルタである。
【００５９】
【数５】
2004302257.tif 000007
【００６０】
ところで、式（６）の周波数特性を有するピッチフィルタのハーモニクスのピークの減衰は、式（７）のようなシンプルな形では表現できないので、式（６）のピッチフィルタのスペクトル包絡特性（ハーモニクスのピークの高さ）を、前記スペクトル傾斜補正フィルタによって完全に平坦化することはできない。しかしながら、式（７）のフィルタ係数σをピッチゲイン係数ｇの２次式  を用いて制御することにより（式（５）参照）、ピッチゲイン係数ｇが取り得る値の範囲内（０．２４〜０．６または０）においてはほぼスペクトル包絡特性を平坦化することが可能となる。前記スペクトル傾斜補正フィルタのスペクトル特性は、フィルタ係数σに比例して傾斜が変化するのではないため、１次式では制御できない。上記２次式は、所定のピッチゲイン係数の範囲内で所望のスペクトル傾斜特性が得られるように二次関数の係数をヒューリスティックに調整した結果得られたものである。このように、簡単なフィルタを簡単な制御関数で制御することにより、所望のスペクトル傾斜補正特性を実現することができる。
【００６１】
以上が、本発明の特徴部分である長期ポストフィルタ２０２の構成及び処理の説明である。
【００６２】
本発明の長期ポストフィルタ及び従来の長期ポストフィルタの周波数特性（ＦＦＴスペクトル特性）の一例を図５に示す。従来の長期ポストフィルタの特性は、式（１）のλ＝０、γ＝０．４×ｇＬとしたものであり、図はピッチゲインｇＬ＝１．０の場合を示している。ピッチ周期は２０サンプル（８ｋＨｚサンプリング）で、本発明の長期ポストフィルタのピッチゲイン係数ｇ＝０．６×ｇＬ＝０．６である。高域の部分で従来の長期ポストフィルタと同程度のピッチ強調が行われ、低域では従来の長期ポストフィルタよりきついピッチ強調が行われるようにピッチフィルタの係数制御を行うようにしている。なお、図５において、横軸は周波数（Ｈｚ）、縦軸は振幅（ｄＢ）である。また、本発明の長期ポストフィルタの周波数特性を波線で示し、従来の長期ポストフィルタの周波数特性を実線で示した。
【００６３】
図５から明らかなように、本発明の長期ポストフィルタの周波数特性は、スペクトル包絡特性が全周波数帯においてほぼ一定であり、周波数が低くなるほどハーモニクスの谷が深く（ピークと谷との差が大きく）、ハーモニクスのピークが鋭くなり（ピーク幅が狭くなり）、一方、周波数が高い帯域では従来の長期ポストフィルタの特性に近いものとなる。このような周波数特性により、ハーモニクス構造が顕著な低域ほど強いピッチ強調がかかる一方で、ハーモニクス構造がはっきりし難い高域では弱めのピッチ強調に抑えることが可能となる。
【００６４】
次に、長期ポストフィルタ２０２の動作について、図６のフロー図を参照して説明する。
【００６５】
図６に示すように、長期ポストフィルタ２０２の動作は大きく３つのステップに分けることができる。３つのステップとは、利得係数決定ステップ（ＳＴ６００）、ピッチフィルタリングステップ（ＳＴ６１０）、傾斜補正フィルタリグステップ（ＳＴ６２０）である。
【００６６】
利得係数決定ステップ（ＳＴ６００）は、ピッチ探索ステップ（ＳＴ６０１）およびピッチゲイン算出ステップ（ＳＴ６０２）を含む。ピッチフィルタリングステップ（ＳＴ６１０）は、ピッチフィルタ係数算出ステップ（ＳＴ６１１）およびピッチフィルタ処理ステップ（ＳＴ６１２）を含む。傾斜補正フィルタリングステップ（ＳＴ６２０）は、傾斜フィルタ係数算出ステップ（ＳＴ６２１）および傾斜補正フィルタ処理ステップ（ＳＴ６２２）を含む。
【００６７】
まず、利得係数決定ステップ（ＳＴ６００）において、各種フィルタ係数を制御するピッチゲイン係数ｇが算出される。より具体的には、ピッチ探索ステップ（ＳＴ６０１）において、式（２）のＲ（ｔ）を最大化するサンプルタイミングｔをピッチ周期ｐとして決定する。次に、ピッチゲイン算出ステップ（ＳＴ６０２）において、式（３）によってピッチゲインｇＬを算出し、さらに式（４）によってピッチゲインｇＬに重みをかけてピッチゲイン係数ｇを算出する。
【００６８】
次に、ピッチフィルタリングステップ（ＳＴ６１０）においてピッチフィルタ処理を行う。具体的には、まず、ピッチフィルタ係数算出ステップ（ＳＴ６１１）において、ピッチゲイン係数ｇから式（５）を用いてピッチフィルタ係数Ｇ’，α，βを算出する。次に、ピッチフィルタ処理ステップ（ＳＴ６１２）において、ピッチフィルタ係数Ｇ’，α，βを用いて式（６）に示される特性のピッチフィルタ処理を行う。
【００６９】
次に、傾斜補正フィルタリングステップ（ＳＴ６２０）においてスペクトル傾斜補正フィルタ処理を行う。具体的には、まず、傾斜フィルタ係数算出ステップ（ＳＴ６２１）において、ピッチゲイン係数ｇから式（５）を用いて傾斜補正フィルタ係数（強調係数）σ，εを算出する。次に、傾斜補正フィルタ処理ステップ（ＳＴ６２２）において、傾斜補正フィルタ係数σ，εを用いて式（７）に示される特性のスペクトル傾斜補正フィルタ処理を行う。
【００７０】
【発明の効果】
以上説明したように、本発明によれば、ピッチ周期の前後で対象なフィルタ係数から構成されるマルチタップピッチフィルタと、このピッチフィルタのスペクトル包絡特性を平坦化する傾斜補正フィルタとによりピッチポストフィルタを構成することにより、周波数が低い帯域ほどハーモニクス構造が強く、周波数が高い帯域ではハーモニクス構造が弱くなる特性を有するピッチポストフィルタを提供することができる。そして、このピッチポストフィルタを音声復号化装置に搭載することにより低周波帯域のピッチハーモニクスの谷に存在する量子化雑音を聞こえ難くし、高周波帯域のピッチハーモニクスを強調しすぎることなく自然なピッチハーモニクスの強調を行うことができ、復号音声信号の主観品質の改善を図ることができる。なお、この音声復号化装置は、音声信号受信装置、通信端末装置、基地局装置等に搭載される。
【図面の簡単な説明】
【図１】本発明の一実施の形態に係る音声信号伝送システムの構成を示すブロック図
【図２】上記実施の形態に係る音声復号化装置の内部構成を示すブロック図
【図３】上記実施の形態に係る長期ポストフィルタの内部構成を示すブロック図
【図４】本発明の長期ポストフィルタに含まれる３タップＡＲ型ピッチフィルタの周波数特性を示す図
【図５】本発明の長期ポストフィルタ及び従来の長期ポストフィルタの周波数特性を示す図
【図６】上記実施の形態に係る長期ポストフィルタの動作を示すフロー図
【図７】従来のポストフィルタの構成の一例を示す図
【符号の説明】
１５５  音声復号化装置
２０１  音声復号部
２０２  長期ポストフィルタ
２０３  短期ポストフィルタ
３０１  ピッチ探索部
３０２  フィルタ係数制御部
３０３  ３タップＡＲ型ピッチフィルタ
３０４  １次ＭＡ型スペクトル傾斜補正フィルタ
３２１  ゲイン算出部
３２２  係数算出部
３３１、３３４、３３６、３３８、３４２、３４４  増幅器
３３２、３４３  加算器
３３３、３３５、３３７、３４１  遅延素子
【図１】
2004302257.tif 000008
【図２】
2004302257.tif 000009
【図３】
2004302257.tif 000010
【図４】
2004302257.tif 000011
【図５】
2004302257.tif 000012
【図６】
2004302257.tif 000013
【図７】
2004302257.tif 000014